(57)【要約】【課題】アプリケーション・パラメータの制御。【解決手段】ワイヤレス充電フィールドの存在の標示を受信することと、このワイヤレス充電フィールドのその存在の間、デバイスの方向の変化を検出することと、その検出された変化に基づいて、アプリケーション・パラメータを制御することとのための装置、方法、および、コンピュータ・プログラム・プロダクト。【選択図】図６
2016509823.tif 000002
【特許請求の範囲】
【請求項１】
プロセッサと、コンピュータ・プログラム・コードを含むメモリとを備える装置であって、
該プロセッサおよび該プログラム・コードは、該プロセッサと動作して、該装置に少なくとも、
ワイヤレス充電フィールドの存在の標示を受信することと、
該ワイヤレス充電フィールドの該存在の間において、デバイスの方向の変化を検出することと、
前記検出された変化に基づいて、アプリケーション・パラメータを制御することと、
を実行するようにさせるように構成されている、装置。
【請求項２】
前記メモリおよび前記コンピュータ・プログラム・コードは、前記プロセッサと動作して、前記デバイスの充電状態を検出することによって前記ワイヤレス充電フィールドの存在の標示を受信するように構成される、請求項１に記載の装置。
【請求項３】
前記メモリおよび前記コンピュータ・プログラム・コードは、前記プロセッサと動作して、受信器コイルにおける電磁場によって誘導される電流を検出する、または、受信器コイルにわたって誘導される電圧を検出することによって前記デバイスの前記充電状態を検出するように構成される、請求項２に記載の装置。
【請求項４】
前記メモリおよび前記コンピュータ・プログラム・コードは、前記プロセッサと動作して、ワイヤレス充電器から信号を受信することによって、前記ワイヤレス充電フィールドの存在の標示を受信するように構成される、請求項１に記載の装置。
【請求項５】
前記メモリおよび前記コンピュータ・プログラム・コードは、前記プロセッサと動作して、ワイヤレス充電器に関して依然の分離した領域とは異なる分離した領域での活動を検出することによって、前記デバイスの方向の前記変化を検出するように構成される、請求項１に記載の装置。
【請求項６】
前記メモリおよび前記コンピュータ・プログラム・コードは、前記プロセッサと動作して、分離した領域での活動を検出するように構成され、
前記分離した領域での前記活動は、少なくとも、前記デバイスと、前記ワイヤレス充電器に集積された近距離無線通信タグとの間でラジオ通信を確立することを含む、請求項５に記載の装置。
【請求項７】
前記メモリおよび前記コンピュータ・プログラム・コードは、前記プロセッサと動作して、前記デバイスの相対的または絶対的位置の変化を検出することによって、前記デバイスの方向の前記変化を検出するように構成される、請求項１に記載の装置。
【請求項８】
前記メモリおよび前記コンピュータ・プログラム・コードは、前記プロセッサと動作して、前記変化の方向を検出するように構成される、請求項１に記載の装置。
【請求項９】
前記メモリおよび前記コンピュータ・プログラム・コードは、前記プロセッサと動作して、前記デバイスがワイヤレス充電器に有効に接続しているとき、前記ワイヤレス充電器の方向の変化を検出することによって、前記デバイスの方向の前記変更を検出するように構成される、請求項１に記載の装置。
【請求項１０】
前記メモリおよび前記コンピュータ・プログラム・コードは、前記デバイスの方向の前記検出された変化に依存して、前記アプリケーション・パラメータを調節するように構成される、請求項１に記載の装置。
【請求項１１】
前記メモリおよび前記コンピュータ・プログラム・コードは、前記ワイヤレス充電フィールドの前記存在の標示を受信することに応じて、アプリケーションを起動するように構成される、請求項１に記載の装置。
【請求項１２】
前記デバイスは、前記装置を備える、請求項１に記載の装置。
【請求項１３】
ワイヤレス充電フィールドの存在の標示を受信するステップと、
該ワイヤレス充電フィールドの該存在の間において、デバイスの方向の変化を検出するステップと、
前記検出された変化に基づいて、アプリケーション・パラメータを制御するステップと、
を含む方法。
【請求項１４】
前記アプリケーション・パラメータを制御する前記ステップは、前記デバイスの方向の前記検出された変更に依存して、前記パラメータを調節することを含む、請求項１３に記載の方法。
【請求項１５】
コンピュータで使用するためにその中で具体化されたコンピュータ・プログラム・コードを有するコンピュータ読取り可能メディアを備えるコンピュータ・プログラム・プロダクトであって、
該コンピュータ・プログラム・コードは、
ワイヤレス充電フィールドの存在の標示を受信するためのコードと、
該ワイヤレス充電フィールドの該存在の間、デバイスの方向の変化を検出するためのコードと、
前記検出された変化に基づいて、アプリケーション・パラメータを制御するためのコードと、を備える、コンピュータ・プログラム・プロダクト。
【発明の詳細な説明】
【技術分野】
【０００１】
本出願は、一般に、アプリケーション・パラメータを制御することに関する。より詳細には、本出願は、ワイヤレス充電フィールドの存在の間におけるアプリケーション・パラメータを制御することに関する。
【背景技術】
【０００２】
電子デバイスは、典型的には、いくつかの異なる種類のアプリケーション、通知、および、機能を備える。しばしば、ユーザは、例えば、アプリケーションおよび／または制御アプリケーション・パラメータを起動または開始する必要がある。
【発明の概要】
【０００３】
本願発明の例の種々の態様が、請求項において、述べられている。
【０００４】
本願発明の第１の態様にしたがって、ワイヤレス充電フィールドの存在の標示を受信するステップと、該ワイヤレス充電フィールドの該存在の間、デバイスの方向の変化を検出するステップと、前記検出された変化に基づいて、アプリケーション・パラメータを制御するステップと、を含む方法が提供される。
【０００５】
本願発明の第２の態様にしたがって、プロセッサと、コンピュータ・プログラム・コードを含むメモリとを備える装置が提供される。このプロセッサおよびこのプログラム・コードは、プロセッサと動作して、この装置に少なくとも、ワイヤレス充電フィールドの存在の標示を受信することと、このワイヤレス充電フィールドの存在の間、デバイスの方向の変化を検出することと、この検出された変化に基づいて、アプリケーション・パラメータを制御することと、を実行するようにさせるように構成されている。
【０００６】
本願発明の第３の態様にしたがって、コンピュータで使用するためにその中で具体化されたコンピュータ・プログラム・コードを有するコンピュータ読取り可能メディアを備えるコンピュータ・プログラム・プロダクトが提供される。このコンピュータ・プログラム・コードは、ワイヤレス充電フィールドの存在の標示を受信するためのコードと、このワイヤレス充電フィールドの存在の間、デバイスの方向の変化を検出するためのコードと、この検出された変化に基づいて、アプリケーション・パラメータを制御するためのコードと、を備える。
【０００７】
本願発明の第４の態様にしたがって、ワイヤレス充電フィールドの存在の標示を受信するための手段と、このワイヤレス充電フィールドの存在の間において、デバイスの方向の変化を検出するための手段と、その検出された変化に基づいて、アプリケーション・パラメータを制御することのための手段とを備える装置が提供される。
【図面の簡単な説明】
【０００８】
本願発明の例示的実施形態のより完全な理解のために、次に、添付の図面に関する以下の記載を参照する。ここで、
【図１】図１は、本願で開示された実施形態の例を適用することができる、例示的装置のブロック図である。
【図２】図２は、本願で開示された実施形態の例を適用することができる、別の例示的装置のブロック図である。
【図３】図３は、本願で開示された実施形態の例を適用することができる、例示的配置を図示する。
【図４】図４は、本願で開示された実施形態の例を適用することができる、別の例示的配置を図示する。
【図５】図５は、本願で開示された実施形態の例を適用することができる、更に別の例示的配置を図示する。
【図６】図６は、本願発明の例の態様を組み込んだ例示的方法を図示する。
【発明を実施するための形態】
【０００９】
本願発明の例示的実施形態、および、その潜在的利点は、図１から図６を参照することによって、よく理解される。
【００１０】
例示的実施形態は、アプリケーション・パラメータを制御することに関連がある。例示的実施形態にしたがって、ワイヤレス充電フィールドの存在の標示が、装置によって受信される。ワイヤレス充電フィールドは、例えば、デバイスの充電状態を検出すること、電磁場によって誘導される電流または電圧を検出することによって、または、ワイヤレス充電器から信号を受信することによって、検出することができる。例において、ワイヤレス充電フィールドの存在の間に、デバイスの方向の変化が、検出され、アプリケーション・パラメータを、その検出された変化に基づいて、コントロールすることができる。アプリケーション・パラメータを制御することは、そのアプリケーション・パラメータをその検出された変化に依存して調整することを含むことができる。
【００１１】
図１は、本願発明の例示的実施形態にしたがって動作している装置１００を表すブロック図である。この装置１００は、たとえば、チップまたはチップセットなどの電子デバイスであることができる。この装置１００は、プロセッサ１１０とメモリ１６０を含む。他の例において、装置１００は、マルチ・プロセッサを備えることができる。
【００１２】
図１の例において、プロセッサ１１０は、メモリ１６０に対して読み書きするために、有効に接続している。プロセッサ１１０は、また、入力インタフェースを介して受信される制御信号を受信するように構成することができ、および／または、プロセッサ１１０は、出力インタフェースを介して制御信号を出力するように構成することができる。例示的実施形態にプロセッサ１１０プロセッサ１１０は、受信された制御信号をこの装置の機能を制御するために適切なコマンドに変換するように構成することができる。
【００１３】
メモリ１６０は、プロセッサ１１０へロードされるとき、以下に説明するように、装置１００の動作を制御するコンピュータ・プログラム命令１２０を格納する。他の例において、装置１００は、複数のメモリ１６０または異なる種類の記憶装置を備えることができる。
【００１４】
本願発明の例示的実施形態のインプリメンテーションを可能にするためのコンピュータ・プログラム命令１２０、または、そのようなコンピュータ・プログラム命令の一部は、装置１００の上へ、装置１００のメーカーによって、装置１００のユーザによって、または、ダウンロード・プログラムに基づいて装置１００自体によってロードすることができる。あるいは、その命令は、外部デバイスによって装置１００にプッシュすることができる。そのコンピュータ・プログラム命令は、電磁キャリア信号を介して装置１００に到達することができる、または、コンピュータ・プログラム・プロダクト、メモリ・デバイス、または、コンパクトディスク（ＣＤ）、コンパクト・ディスク・リード・オンリー・メモリ（ＣＤ−ＲＯＭ）、デジタル多用途ディスク（ＤＶＤ）、やブルーレイ・ディスク等記録メディアなどの物理エンティティーからコピーすることができる。
【００１５】
図２は、本願発明の例示的実施形態にしたがう装置２００を表すブロック図である。装置２００は、ハンド・ポータブル・デバイス、携帯電話またはパーソナル携帯情報機器（ＰＤＡ）、パーソナル・コンピュータ（ＰＣ）、ラップトップ、デスクトップ、タブレット・コンピュータ、無線端末、通信端末、ゲーム機、音楽プレーヤー、電子ブック・リーダ（ｅブック・リーダ）、測位デバイス、デジタル・カメラ、ＣＤー、ＤＶＤまたはブルーレイ・プレーヤ、または、メディアプレーヤなどの電子回路デバイスであることができる。図２−図４の例において、装置２００は、モバイル・コンピューティング・デバイスであると仮定する。
【００１６】
図２の例において、モバイル・コンピューティング・デバイス２００が、装置１００、ディスプレイ２１０、ユーザ・インタフェース２２０、および、充電ユニット２３０を備えるものとして図示される。しかしながら、ディスプレイ２１０やユーザ・インタフェース２２０は、装置２００の外部にあってもよいが、それと通信を行うことができる。いくつかの例において、ディスプレイ２１０は、ユーザ・インタフェース２２０に組み込むことができる。例えば、ユーザ・インタフェース２２０は、タッチ・スクリーン・ディスプレイを含むことができる。
【００１７】
加えて、あるいは、代替的に、ユーザ・インタフェース２２０は、また、ボタン、キー、タッチ・パッド、ジョイスティック、スタイラス、ペン、ローラー、ロッカー、キーパッド、キーボード、あるいは、情報を入力し、および／または、アクセスするために適切な入力メカニズムなど手動の操作制御を備えることもできる。更なる例は、マイクロフォン、音声認識システム、眼球運動認識システム、加速度−、傾き−および／または運動ベースの入力システムを含む。したがって、モバイル・コンピューティング・デバイス２００は、また、１つ以上のジャイロ・センサ、アクセロメータ、磁力計、位置センサや傾きセンサなど異なる種類のセンサを備えることもできる。
【００１８】
図２の例のモバイル・コンピューティング・デバイス２００は、また、例えば、ブルートゥース、ＷｉＦｉ、ラジオ周波数識別（ＲＦＩＤ）または近距離無線通信（ＮＦＣ）接続を用いて別のデバイスとラジオ通信を確立するように構成することができる。図２の例において、モバイル・コンピューティング・デバイス２００は、少なくともＮＦＣ使用可能であると仮定する。
【００１９】
充電ユニット２３０は、ワイヤレス充電器との誘導的結合に応答して、モバイル・コンピューティング・デバイス２００のバッテリーを充電するように構成される。この例では、このワイヤレス充電器は、その１つ以上のコイルの中を流れる電流によって電磁場を生じるように構成された１つ以上の伝達コイルを具体化している。この電磁場は、電場と磁場の組合せであることができる。いくつかの例において、電磁場は、磁場のみから成ることができる。あるいは、その磁気場成分が、電場成分よりも顕著に強いことがあり得る。いくつかの例において、その電場成分は、磁場よりも支配的でありえる。電磁場の特性は、たとえば、ワイヤレス充電器と充電ユニットとの間の距離に依存することができる。電磁場は、モバイル・コンピューティング・デバイス２００の１つ以上の受信コイルを通っており、そこで、電流が、電磁場によって誘導される。誘導電流は、つぎに、モバイル・コンピューティング・デバイス２００のバッテリーを充電するために使用される。いくつかの例において、モバイル・コンピューティング・デバイス２００は、ワイヤレス充電を始めるために、ワイヤレス充電器の上に、または、その隣に置くことができる。
【００２０】
例示的実施形態において、充電ユニット２３０は、１つ以上の受信コイル、その１つ以上の受信コイルに有効に接続した充電回路、および、プロセッサ１１０やワイヤレス充電器への１つ以上の動作する接続を備える。
【００２１】
充電ユニット２３０は、さらに、ワイヤレス充電器と通信するように構成することができる。例えば、充電ユニットは、たとえば、受信した充電フィールドの強度、受信コイルの識別子、および／または、充電ユニット、必要な電源、および／または、ワイヤレス充電器からの電力伝達のための制御データを示しているワイヤレス充電器に信号を送信するように構成することができる。
【００２２】
いくつかの例示的実施形態において、充電ユニット２３０は、モバイル・コンピューティング・デバイスをワイヤレス充電器に対して最適位置に置くために、ユーザをガイドするように構成することができる。最適位置は、受信コイルがたとえば、できるだけ速く進めるための充電を可能にするために、できるだけ多くの電磁場のフィールド・ラインを捕捉する位置を含むことができる。例えば、充電ユニット２３０は、（例えば、引く力など）触覚フィードバックを提供するように構成された追加の磁石を備えることができる。または、プロセッサ１１０は、ビジュアルな、可聴の、または、モバイル・コンピューティング・デバイス２００をワイヤレス充電器に対して最適位置に置くのにユーザをガイドする他のいかなる適切なフィードバックも提供させるように構成することができる。しかしながら、いくつかの例示的実施形態において、ワイヤレス充電器は、動く伝達コイルまたは伝達コイルのアレイを備えることができる。この場合、ユーザをガイドするための手段は、必ずしも必要である訳ではない。ワイヤレス充電は、電磁誘導に限られていないことに留意する。いくつかの例において、ワイヤレス充電は、例えば、磁気共鳴、電磁共鳴あるいは、受信回路に電流を生成するのを効果的に可能にする方法など充電を可能にする他の適当な方法などに基づくことができる。
【００２３】
図２の例に戻ると、ディスプレイに加えて、モバイル・コンピューティング・デバイス２００は、ユーザに触覚および／または触覚情報を提示するために触覚フィードバック・システムなどの別の種類の出力装置を含むことができる。この触覚フィードバック・システムは、プロセッサ１１０により、提供された制御信号を受信するように構成することができる。この触覚フィードバック・システムは、完了した操作を示すように、または、例えば、操作を選択することを示すように構成することができる。例示的実施形態において、触覚フィードバック・システムは、モバイル・コンピューティング・デバイス２００に、ユーザに、起動された、および／または、完了した操作を知らせるために、ある態様で振動させることができる。
【００２４】
図２の例において、モバイル・コンピューティング・デバイス２００は、ワイヤレス充電器によって発生する電磁場などのワイヤレス充電フィールドの存在の標示を受信するように構成される。このワイヤレス充電フィールドの存在の標示は、例えば、装置１００がモバイル・コンピューティング・デバイス２００の充電状態を検出することによって、ワイヤレス充電器から信号を受信することによって、または、モバイル・コンピューティング・デバイスがワイヤレス充電器の上に配置されているワイヤレス充電器が有効に接続していることを検出することによって、ワイヤレス充電フィールドの存在の標示を受信するように構成することができる装置１００によって受信される。装置１００によりモバイル・コンピューティング・デバイス２００の充電状態を検出することは、電磁場によって、モバイル・コンピューティング・デバイス２００の１つ以上の受信コイルを中で誘導される電流を検出すること、または、その１つ以上のコイルにわたって誘導される電圧を検出することを含むことができる。
【００２５】
図２の例のモバイル・コンピューティング・デバイス２００は、さらに、ワイヤレス充電フィールドの存在の間に、モバイル・コンピューティング・デバイス２００の方向の変化を検出するように構成される。その方向の変化は、装置１００により、ワイヤレス充電器に対して依然の分離した領域とは異なる分離した領域における活動を検出することによって、検出することができる。例えば、分離した領域における活動は、少なくとも、モバイル・コンピューティング・デバイス２００と、ワイヤレス充電器に集積されたＮＦＣタグとの間でのラジオ通信を装置１００がどちらの上で、方向の変更を検出するかに基づいて確立することを含むことができる。別の例として、方向の変更は、１つ以上のジャイロ・センサ、アクセロメータや磁力計によってモバイル・コンピューティング・デバイス２００の絶対的または相対的な変化を検出することによって、装置１００が検出することができる。装置１００は、また、その変化の方向を検出するように構成することができる。例えば、装置１００は、時計回りの、または、反時計回り方向の変化、あるいは、Ｘ−、Ｙ−および／またはＺ−軸方向における変化を検出するように構成することができる。例示的実施形態において、装置１００は、モバイル・コンピューティング・デバイス２００が、ワイヤレス充電器が有効に接続しているときに、ワイヤレス充電器の方向の変化を検出するように／、有効な接続は、例えば、モバイル・コンピューティング・デバイス２００が、ワイヤレス充電器に置かれ、ワイヤレス充電器により充電されている、または、ワイヤレス充電器と通信していることの標示を含むことができる。
【００２６】
図２の例のモバイル・コンピューティング・デバイス２００は、さらに、その検出された変化に基づいて、アプリケーション・パラメータを制御するように構成される。アプリケーション・パラメータを、そのアプリケーションの特性を増幅する、または、減らすなど、アプリケーションの特性に影響を及ぼすように構成することができる。例えば、アプリケーション・パラメータを、ユーザが知覚できる特性を増幅する、または、減らすように構成することができる。さらなる例として、アプリケーション・パラメータを、そのアプリケーションの挙動を変更する、または、アプリケーションの特定の挙動を規定するなど、アプリケーションの挙動に影響を及ぼすように構成することができる。例として、このアプリケーション・パラメータは、音楽プレーヤー・アプリケーションにおける、音量、歌の巻き戻しや先送り、次のあるいは前の歌へのジャンプ、リストのスクロール、ポインターまたはカーソルの制御、自宅における光の輝度の制御、アラームあるいは任意の適切なアプリケーション・パラメータのセットを含む備えることができる。
【００２７】
アプリケーション・パラメータを制御することは、例えば、装置１００またはモバイル・コンピューティング・デバイス２００によって、方向の検出された変化に依存して、アプリケーション・パラメータを調節することは、検出された変化の特性に依存することがあり得る。例えば、アプリケーション・パラメータの調整の程度は、方向の検出された変化に比例している（例えば、正比例または逆比例）ことがあり得る。別の例として、アプリケーション・パラメータの調整の程度は、方向の検出された変化の速度に、または、方向の検出された変化の程度に、比例している（例えば、正比例または逆比例）ことがあり得る。
【００２８】
例において、装置１００は、さらに、前記ワイヤレス充電フィールドの前記存在の標示を受信することに応じて、アプリケーションを起動するように構成することができる。または、ＮＦＣタグに基づいて、アプリケーション・パラメータを調節することを含むことができる。例えば、装置１００は、音楽プレーヤー、アラーム・クロック、ウェブ・ブラウザ、既定ユーザ・セッティングに基づくアプリケーション、または、任意の他の適切なアプリケーションを開始する、あるいは、起動するように構成することができる。装置１００は、方向の検出された変化を、起動されたアプリケーションに関連づけるように構成することができる。
【００２９】
請求項の範囲を制限することなく、アプリケーションを自動的に起動する、あるいは、開始することの長所は、ユーザが、アプリケーションを別々に起動したり開始したりする必要がないことでありえる。モバイル・コンピューティング・デバイス２００が、ワイヤレス充電器に置かれたときに、構成される。更なる有利さは、開始されたアプリケーションは、装置１００によってアプリケーション・パラメータを制御するための基準として考えることができることでありえる。例えば、ユーザは、モバイル・コンピューティング・デバイス２００を、ワイヤレス充電器の上に配置することができ、そして、音楽プレーヤー・アプリケーションが、自動的に開始される。結果として、装置１００は、回転のどんな変化でも、音楽アプリケーションの制御と結びつけることができる。ユーザは、例えば、ワイヤレス充電器の上の電話を回転することによって音量を制御することができる。この例において、装置１００は、モバイル・コンピューティング・デバイス２００を時計回りに回転させることが、音量を増やし、デバイスを反時計回りに回転させることが、音量を減らすように構成することができる。
【００３０】
別の例として、ユーザは、夜の間にモバイル・コンピューティング・デバイス２００を充電することを望むことができる。装置１００は、ワイヤレス充電器が、クロック・フェースと思われるように構成することができる。最初に、ユーザは、デバイス２００をワイヤレス充電器の上の最初の位置に（例えば、１２時方向を指すように）置くことができる。そして、次に、ユーザは、ワイヤレス充電器の上で、モバイル・コンピューティング・デバイス２００を回転することによって、アラーム・タイムを選択することができる。装置１００は、方向の変化を検出し、そして、それに応じてアラームをセットする。例えば、モバイル・コンピューティング・デバイス２００を最初の位置から第２の位置に回転させることは、クロック・フェースに直接対応することができる。このデバイスを、１２時を指すものから、６時を指すものに回転することは、アラームを６時にセットすることができる。代替的に、アラームを、現在時刻から６時間後にセットされるべきであることを決定することができる。例えば、モバイル・コンピューティング・デバイス２００が最初の位置に置かれたときが、１時であり、そして、６時の方へ回転すると仮定すると、アラームは、７時にセットされることができる。同じ原理を、アラームをスヌーズにするために使用することができる。例えば、モバイル・コンピューティング・デバイス２００を最初の位置から回転させることで、アラームを、第２の位置に対応する時刻まで、あるいは、何分間か、その変化または方向に対応する分数まで、スヌーズにすることができる。いくつかの例において、多重の回転を、所望の入力を達成するために使用することができる。例えば、アラームをセットすることに関して、第１の回転を、「時」をセットするために使用することができ、そして、第２の回転を、「分」をセットするために使用することができる。したがって、装置１００は、回転の数に依存してアプリケーション・パラメータを制御するように構成することができる。例えば、装置１００は、最初の回転でアプリケーション・パラメータを制御し、そして、２回目の回転でアプリケーション・パラメータの制御をリファインするように構成することができる。
【００３１】
例示的実施形態にしたがって、装置１００は、ワイヤレス充電フィールドが存在しない場合には、モバイル・コンピューティング・デバイス２００の方向の変化を無視するように構成されている。別の例示的実施形態において、装置１００は、基準に基づいて、方向の変化を無視するように構成されている。例えば、装置１００は、ワイヤレス充電フィールドは存在するが、しかし、装置１００は充電状態を検出することができないときに、方向の変化を無視するように構成することができる。
【００３２】
請求項の範囲を制限することなく、その検出された変化に基づいて、ワイヤレス充電フィールドの存在の間にアプリケーション・パラメータを制御することの長所は、ユーザが、モバイル・コンピューティング・デバイス２００をワイヤレス充電フィールドから取り除くことなくアプリケーション・パラメータを直観的に制御することができることでありえる。別の有利な点は、検出された変化に基づくアプリケーションを制御することは、ワイヤレス充電フィールドの存在が検出されるときの状況に制限されることができることでありえる。このように、モバイル・コンピューティング・デバイスが、例えば、ユーザのポケットに入っているときなど、悪いユーザ体験を、回避することができる。
【００３３】
図３は、本願開示の実施形態の態様を取り入れた例示的配置を図示する。この例において、図２の例のモバイル・コンピューティング・デバイス２００は、ユーザ・インタフェース２２０に組み込まれたタッチ・スクリーン・ディスプレイ２１０を備え、ワイヤレス充電器３００に置かれる。このワイヤレス充電器３００は、電磁場を生じるための伝達コイル、および、ワイヤレス充電器３００に組み込まれたＮＦＣタグ３５０を備える。モバイル・コンピューティング・デバイス２００は、電磁場によって生成あれた誘導電流を受信するための受信器コイルを備えるＮＦＣ対応デバイスである。この例において、モバイル・コンピューティング・デバイス２００の方向を特定の距離または特定の角度の分だけ、特定の方向に変えることは、ワイヤレス充電フィールドの存在が検出されるとき、特定の方向と特定の距離／角度に依存して、デバイス２００に、規定のように反応させる。
【００３４】
図３の例において、ＮＦＣタグは、破線によって図示される円３１０に沿って均一に分散されている。破線は、図示する目的だけのためであり、そしてユーザが見ることはできないことに留意する。また、いくつかの実施形態において、ＮＦＣタグは、均一に分散されることができない、および／または、均一に円に沿って分散されることができない。また、たとえ図３が３つのＮＦＣタグを図示するだけであるとしても、異なる数のＮＦＣタグを、ワイヤレス充電器３００に組み込むことができることに留意する。例えば、ワイヤレス充電器は、１〜２０のＮＦＣタグ、２０以上のＮＦＣタグ、４、８、１２、１６または任意の適切な数のＮＦＣタグでも含むことができる。
【００３５】
図３の例のＮＦＣタグ３５０は、モバイル・コンピューティング・デバイス２００の方向の変化を検出するために使用することができる分離した領域を表す。ＮＦＣタグ３５０は、たとえば、制限された情報量を格納するように構成したアンテナを有するマイクロチップを備えるステッカーであることができる。図３の例のＮＦＣタグ３５０は、基準位置３２０から現在位置３４０への絶対角度３３０に関する情報を含むことができる。例えば、ＮＦＣタグ３５０は、モバイル・コンピューティング・デバイス２００にデバイスの現在位置が、例えば、３０度、９０度、１３５度または−２０度、−８０度または−１４０度など、０度（基準位置）と３６０度の間の任意の角度であることを示すように構成することができる。この例では、「＋」および「−」の記号は、方向の向きを示すことができる。例えば、「＋」記号は、時計回りの方向の変化を示すことができ、そして、「−」記号は、反時計回りの方向の変化を示すことができる。あるいは、逆もまた同じである。代替的に、ＮＦＣタグは、前の方向から、＋／−５度、１０度、１５度など方向の相対的な変化を示すように構成することができる。
【００３６】
図３の例において、ＮＦＣタグ３５０は、ワイヤレス充電器の上での移動通信装置２００の動きを検出することに応じて、アプリケーション・パラメータを調節させるように構成される。他の例において、ＮＦＣタグは、モバイル・コンピューティング・デバイス２００とのラジオ接続を確立することに応答して、または、動きを検出すること、および、モバイル・コンピューティング・デバイス２００とのラジオ通信を確立することの両方に応答して、アプリケーション・パラメータを調節させるように構成されることができる。ＮＦＣタグは、基準に基づいて、アプリケーション・パラメータを調節させるように構成されることができる。この基準は、例えば、アプリケーション・パラメータを既定のレベルおよび／または状態に達するまで、既定のステップによって、既定回数だけ繰り返し調節すること、モバイル・コンピューティング・デバイス２００とのラジオ接続を確立することに応答して、または、モバイル・コンピューティング・デバイス２００の充電状態に依存してアプリケーション・パラメータを一回調節すること、を含むことができる。例えば、ＮＦＣタグは、音楽プレーヤー・アプリケーションにおいて、５％だけ音量を増加させる、または、アラーム・クロック・アプリケーションにおいて、アラームを午前７時にセットさせるように構成することができる。アプリケーション・パラメータを調節させることは、装置１００に、モバイル・コンピューティング・デバイス２００の方向の変化を示すことを含むことができる。次に、それに応じてアプリケーションを制御する。別の例として、ＮＦＣタグは、装置１００に制御を実行することを指示することによって、アプリケーション・パラメータを直接制御するためにエンコードすることができる。
【００３７】
図３の例において、モバイル・コンピューティング・デバイス２００の方向の変化が、ワイヤレス充電器の上の分離した領域における活動を検出することに基づいて、検出される。いくつかの例において、モバイル・コンピューティング・デバイス２００の方向の変化は、センサで連続的に検出することに基づくことができる。例えば、モバイル・コンピューティング・デバイス２００は、方向の変化を検出するために単独あるいは併用で使用することができる、１つ以上のジャイロ・センサ、アクセロメータや磁力計を備えることができる。
【００３８】
図４および図５は、本願開示の実施形態の態様を取り入れた別の例示的配置を図示する。これらの例では、ワイヤレス充電器３００は、モバイル・コンピューティング・デバイス２００の相対位置が、ワイヤレス充電器３００に対して同一のままであるように回転する（矢印４１０と角度４２０によって図示される）ように構成される。つまり、ワイヤレス充電器３００の方向が変わったときに、モバイル・コンピューティング・デバイス２００の方向も、また、変わり、アプリケーション・パラメータは、それに応じて制御することができる。ワイヤレス充電器３００の方向の変化は、装置１００により検出されることができ、あるいは、装置１００は、ワイヤレス充電器３００によって、その変化を知らされることができる。
【００３９】
図５ａは、側面図を示し、そして、図５ｂは、回転可能なワイヤレス充電器３００の例示的インプリメンテーションの平面図を示す。ワイヤレス充電器３００は、スタンド５１０に回転可能ジョイント要素５２０を用いて搭載することができる。参照番号５３０と５４０によって図示されるように、図５ａおよび図５ｂの構成は、このワイヤレス充電器３００の方向を垂直、水平の両方に変えることを可能にする。回転可能ワイヤレス充電器は、いくつかの異なる方法でインプリメントすることができ、図５ａおよび図５ｂの例は、その１つの例にすぎないことに留意する。
【００４０】
図６は、本願の以前に開示された実施形態の態様を取り入れる例示的方法６００を図示する。より具体的には、この例示的方法６００は、アプリケーション・パラメータを制御を図示する。
【００４１】
この方法は、ワイヤレス充電フィールドの存在の標示を受信すること６０１から始まる。ワイヤレス充電フィールドの存在の標示を受信することは、装置１００によって（例えば、受信コイルにおいて電磁場によって誘導される電流を検出することによって、または、受信コイルにわたって誘導される電圧を検出することによってなど）モバイル・コンピューティング・デバイス２００の充電状態を検出すること、ワイヤレス充電器から信号を受信すること、または、ワイヤレス充電器との動作している接続を検出する（例えば、モバイル・コンピューティング・デバイス２００が、ワイヤレス充電器に置かれることを検出する）などの以前に議論したいかなる適切な方法にでも基づくことができる。
【００４２】
方法６００は、ワイヤレス充電フィールドの存在の間に、方向の変化を検出すること６０２を続ける。以前に論じたように、方向の変化を検出することは、ワイヤレス充電器に対して、以前の分離した領域（例えば、ＮＦＣタグなど）と異なる分離した領域における活動を検出すること、モバイル・コンピューティング・デバイス２００の相対的または絶対的位置でにおける変化を検出することを含むことができる。方向の変化を検出することは、また、このワイヤレス充電器の変化の向きや方向の変化を検出することを含むことができる。
【００４３】
この方法は、次に、方向の検出された変化に基づいて、アプリケーション・パラメータを制御すること６０３を続ける。例えば、アプリケーション・パラメータは、パラメータを調節する量が、方向の検出された変化の量に対応する、または、方向の検出された変化の量に比例しているように、検出された変化に依存して制御することができる。
【００４４】
この方法は、このワイヤレス充電フィールドまたはＮＦＣタグの存在の標示を受信すること、または、ワイヤレス充電フィールドが存在しない場合に、または、基準に基づいて、モバイル・コンピューティング・デバイスの方向の変化を無視することに応じてアプリケーションを起動または開始するなどの追加的な操作を更に含むことができる。
【００４５】
特許請求の範囲における請求項の範囲、解釈、またはアプリケーションをどんな形であれ制限することなく、ここに開示された例示的実施形態のうちの１つ以上の技術的な効果は、デバイスがワイヤレス充電器の上にあるとき、ワイヤレス充電器からデバイスを取り除くことなく、アプリケーション・パラメータを直観的に制御していることである。ここに開示された例示的実施形態のうちの１つ以上の別の技術的な効果は、デバイスに対するより簡単なインタラクションである。ユーザが、アプリケーション・パラメータを制御するために、メニューその他を通して閲覧する必要はないからである。
【００４６】
本願発明の実施形態は、ソフトウェア、ハードウェア、アプリケーション・ロジック、または、ソフトウェア、ハードウェア、およびアプリケーション・ロジックの組合せでインプリメントすることができる。このソフトウェア、アプリケーション・ロジック、および／または、ハードウェアは、この装置、別のデバイスまたは複数のデバイスに存在することができる。必要に応じて、ソフトウェア、アプリケーション・ロジックやハードウェアの部分は、この装置に存在することができる。ソフトウェア、アプリケーション・ロジックやハードウェアの部分、別のデバイスに存在することができる。また、ソフトウェア、アプリケーション・ロジックやハードウェアの部分、複数のデバイスに存在することができる。例示的実施形態において、アプリケーション・ロジック、ソフトウェア、または、命令セットは、種々の従来のコンピュータ読取り可能媒体の任意の１つの上に維持される。この文書のコンテキストにおいて、「コンピュータ読取り可能メディア」は、いかなるメディア、あるいは、図２の中で描かれ、１つの例として記載されたコンピュータなどの命令実行システム、装置あるいはデバイスによって、または、関連して使用するための命令を含み、格納し、通信し、伝播し、または、伝送することができる手段でもあり得る。コンピュータ読取り可能メディアは、命令実行システム、例えばコンピュータなどの装置またはデバイスにより、または、関連して使用するために、命令を格納または含むことができるどんなメディアまたは手段であることもできるコンピュータ読取り可能格納メディアを含むことができる。
【００４７】
必要に応じて、ここに議論される異なる機能を、互いに、異なる順序で、および／または、並行して実行することができる。更にまた、必要に応じて、上記の機能のうちの１つ以上は、オプションでありえる、または、結合されることができる。
【００４８】
本願発明の種々の態様が、独立形式の請求項において述べられたけれども、本願発明の他の態様は、独立形式の請求項特徴と、記述された実施形態や従属する請求項からの特徴の他の組合せを含む。また、請求項において単に明示的に述べられる組合せだけではない。
【００４９】
本願発明の例の実施形態を上で記述しているが、これらの記載は、限定的なものと見られてはならないことにも、また、留意する。むしろ、添付の請求項において規定されるように、本願発明の範囲を逸脱することなく作ることができるいくつかでのバリエーションおよび修正が存在する。
【図１】
2016509823.tif 000003
【図２】
2016509823.tif 000004
【図３】
2016509823.tif 000005
【図４】
2016509823.tif 000006
【図５ａ】
2016509823.tif 000007
【図５ｂ】
2016509823.tif 000008
【図６】
2016509823.tif 000009
【国際調査報告】
2016509823.tif 000010
2016509823.tif 000011